(57)【要約】 【課題】ひだ状折り返し部の形態を整えることができてカーテンの引き上げ状態の見栄えを向上させ得る引き上げ式カーテン用の整形アシストテープを提供する。【解決手段】ひだ状折り返し部２が積み重なる状態で引き上げられる引き上げ式カーテン５を構成するに際して、カーテン基布６の裏側面７に上下方向に延長する如く止着されて、ひだ状折り返し部２の折り返しの形態を整える整形アシストテープである。熱可塑性樹脂製の糸を用いて形成された織物製のテープであり、ひだ状折り返し部２の折り返しに沿って屈曲されるバネ性屈曲テープ部３０が設けられている。バネ性屈曲テープ部３０は、ひだ状折り返し部２に、その表側３１に向けて弾性反発力を付与できるように、熱セットで屈曲形態が保持されている。【選択図】図３
2012120744.tif 000002
【特許請求の範囲】
【請求項１】
ひだ状折り返し部が積み重なる状態で引き上げられる引き上げ式カーテンを構成するに際してカーテン基布の裏側面に上下方向に延長する如く止着されて該ひだ状折り返し部の折り返しの形態を整える引き上げ式カーテン用の整形アシストテープであって、
熱可塑性樹脂製の素材を用いて形成されたテープ状物からなり、前記ひだ状折り返し部の折り返しに沿って屈曲されるバネ性屈曲テープ部が設けられており、該バネ性屈曲テープ部は、前記ひだ状折り返し部に、その表側に向けて弾性反発力を付与できるように、前記熱可塑性樹脂の融点以下の温度の熱セットで屈曲形態が保持されていることを特徴とする引き上げ式カーテン用の整形アシストテープ。
【請求項２】
ひだ状折り返し部が積み重なる状態で引き上げられる引き上げ式カーテンを構成するに際してカーテン基布の裏側面に上下方向に延長する如く止着されて該ひだ状折り返し部の折り返しの形態を整える引き上げ式カーテン用の整形アシストテープであって、
熱可塑性樹脂製の糸を用いて形成された織物又は編物としてのテープ基材の一面部に、長さ方向に所要間隔で、コード挿通部が設けられており、乃至、コード挿通部を付設可能となされており、該コード挿通部は、前記引き上げ式カーテンの上げ下げを操作する昇降コードを挿通させるために利用されるものであり、
隣り合う前記コード挿通部間に、前記ひだ状折り返し部の折り返しに沿って屈曲されるバネ性屈曲テープ部が設けられており、該バネ性屈曲テープ部は、前記ひだ状折り返し部に、その表側に向けて弾性反発力を付与できるように、前記熱可塑性樹脂の融点以下の温度の熱セットで屈曲形態が保持されていることを特徴とする引き上げ式カーテン用の整形アシストテープ。
【請求項３】
ひだ状折り返し部が積み重なる状態で引き上げられる引き上げ式カーテンを構成するに際してカーテン基布の裏側面に上下方向に延長する如く止着されて該ひだ状折り返し部の折り返しの形態を整える引き上げ式カーテン用の整形アシストテープであって、
熱可塑性樹脂製の糸を用いて形成された織物としてのテープ基材の一面部に、長さ方向に所要間隔でループ部を形成するに際し、経糸として、ループ部形成に関与する第１の経糸とループ部形成に関与しない第２の経糸の２種類を用い、ループ部形成部分以外の部分においては該２種類の経糸と緯糸とを交錯させるものとし、ループ部形成部分においては、第２の経糸の進行を停止させて第１の経糸のみを進行させ、緯糸と該第１の経糸のみを交錯させることによって織物組織としてのループ部が設けられており、該ループ部は、前記引き上げ式カーテンの上げ下げを操作する昇降コードを挿通させるために、或いは該昇降コードを挿通させ得るコード挿通部材を取り付けるために利用されるものであり、
隣り合う前記ループ部間に、前記ひだ状折り返し部の折り返しに沿って屈曲されるバネ性屈曲テープ部が設けられており、該バネ性屈曲テープ部は、前記ひだ状折り返し部に、その表側に向けて弾性反発力を付与できるように、前記熱可塑性樹脂の融点以下の温度の熱セットで屈曲形態が保持されていることを特徴とする引き上げ式カーテン用の整形アシストテープ。
【請求項４】
前記バネ性屈曲テープ部の先端部分は円弧状に形成されていることを特徴とする請求項１、２又は３記載の引き上げ式カーテン用の整形アシストテープ。
【請求項５】
ひだ状折り返し部が積み重なる状態で引き上げられる引き上げ式カーテンであって、カーテン基布の裏側面に、請求項１〜４の何れかに記載の整形アシストテープが上下方向に延長する如く止着されてなり、該整形アシストテープの前記バネ性屈曲テープ部が、その突の屈曲の向きを前記ひだ状折り返し部の突の折り返しの向きに合わせて止着されていることを特徴とする引き上げ式カーテン。
【請求項６】
請求項３記載の引き上げ式カーテン用の整形アシストテープを製造する製造方法であって、熱可塑性樹脂製の糸を用いて形成された織物としてのテープ基材の一面部に、長さ方向に所要間隔でループ部が設けられてなる原テープを、上下に平行して配設された上の圧接部材と下の圧接部材とに蛇行状態で架け渡した状態とするに際し、
前記ループ部を蛇行部の上端に位置させた状態で前記原テープを前記上の圧接部材で下方から支持させると共に、各ループ部に、水平な位置規制杆を挿通させて前記原テープを固定状態とし、隣り合うループ部間をなす屈曲テープ部分によって、前記下の圧接部材を宙ぶらりん状態で下方から支持し、この状態で、該原テープに、前記熱可塑性樹脂の融点以下の温度で熱セットを施して、隣り合う前記ループ部間に前記バネ性屈曲テープ部を形成することを特徴とする引き上げ式カーテン用の整形アシストテープの製造方法。
【発明の詳細な説明】
【技術分野】
【０００１】
本発明は、引き上げ式カーテン用の整形アシストテープ及びそれを用いた引き上げ式カーテン並びに引き上げ式カーテン用の整形アシストテープの製造方法に関するものである。より詳しくは、折り返し部が積み重なる状態で引き上げられる引き上げ式カーテンを構成するに際して、カーテン基布の裏側面に上下方向に延長する如く止着されて該折り返し部の形態を整えることのできる引き上げ式カーテン用の整形アシストテープに関するものであり、又、該折り返し部の形態が整えられて見栄えよく引き上げられる引き上げ式カーテンに関するものである。更に、引き上げ式カーテン用の整形アシストテープを精度良く能率的に製造可能とする引き上げ式カーテン用の整形アシストテープの製造方法に関するものである。
【背景技術】
【０００２】
近年、ひだ状折り返し部が積み重なる状態で引き上げ可能となされた引き上げ式カーテン装置が好評を博している。本発明者も、この種の引き上げ式カーテン装置を特開２００３−２５９９６２号公報や特開２００２−１５３３７６号公報で開示している。この種の引き上げ式カーテン装置の一般的なものとしては、例えば図２０〜２１に示すように、窓開口部の上縁に沿って付設された支持バーａの室内側の面部に、カーテンｂの上縁部分ｃを面状ファスナーを介して固定し、該カーテンｂを吊下状態にすると共に、該支持バーａの一端にロック具ｄを固定してなるものであった。そして、該カーテンの下部ｅにウエイトをもたせるために、該下部ｅに設けた収容部ｆにその略全幅に亘ってウエイトバーｇが納められ、該ウエイトバーｇが該下部ｅのウエイトとされていた。又図２０に示すように、該ロック具ｄの固定側から支持バーａの反対側に向けて所要間隔でコード案内部ｈを設けると共に、該コード案内部ｈの数に相当する本数の昇降コードｊの束ｋを前記ロック具ｄに通し、その束ｋを構成する昇降コードｊを、前記コード案内部ｈ毎に垂らし、該垂らした昇降コードｊを、カーテンｂの裏側面において上下方向に所要間隔で設けられたコード挿通部ｍに順次挿通せしめ、該昇降コードｊの下端部ｎをカーテンの下端側ｐに固定状態としてなるものであった。
【０００３】
そして、前記ロック具ｄを挿通した昇降コードｊの束ｋを下方に引くことにより、前記カーテンｂを、図２２に示すように、ひだ状折り返し部ｑが積み重なる状態で引き上げ可能となされており、所要の引き上げ状態で、昇降コードｊが前記ロック具ｄの係止作用によってロックされ、カーテンｂがその引き上げ状態で保持されるように構成されていた。  
【０００４】
かかる構成を有する引き上げ式カーテン装置は、前記のように、前記昇降コードｊの束ｋを下方に引くことによって、ひだ状折り返し部ｑが積み重なる状態でカーテンｂを引き上げ可能となされてはいたが、実際には、該昇降コードｊを引き上げる際の勢いで、例えば図２２に示すように、該ひだ状折り返し部ｑの形態が、その両側部分やその中間部分で崩れ易かった。ひだ状折り返し部ｑの一部で、例えば図２２、図２３（Ａ）に示すように形態の崩れｓが生ずると、図２３（Ｂ）に示すように、その上に積み重なるひだ状折り返し部の形態も崩れ易く、かかることからカーテンの引き上げ状態の見栄えが悪くなる問題があったのである。
【０００５】
ひだ状折り返し部ｑのかかる形態の崩れを防止せんとして、例えば図２４（Ａ）に示すように、カーテンｂに、前記昇降コードｊの上げ下げ操作によってひだ状折り返し部ｑが形成される部分に、該ひだ状折り返し部ｑの形態に合わせて、熱セットで屈曲形態ｔを付与することが行われていた。この熱セットに先立ち、例えば図２４（Ｂ）に示す屈曲装置ｕを用いてカーテン基布ｖをジグザグ状に屈曲させていた。該屈曲装置ｕは、図２４（Ｂ）に示すように、上下のガイド筒ｗ，ｙを用いてカーテン基布ｖをジグザグ状に屈曲させることとしていた。上のガイド筒ｗは固定状態とされると共に、下のガイド筒ｙはフリーとされ、該上下のガイド筒ｗ，ｙにカーテン基布ｖをジグザグ状に案内し、隣り合う上のガイド筒ｗ，ｗに支持されてＵ字状に垂れた屈曲部分ｚで前記下のガイド筒ｙを下方から支持させ、該下のガイド筒ｙの自重によって、カーテン基布ｖをジグザグ状に屈曲させて保持する構成であった。
【０００６】
熱セットで屈曲形態が付与された前記カーテンによるときは、カーテン引き上げによって形成されたひだ状折り返し部の形態の崩れを防止できる利点があった。しかしながら、カーテン幅やカーテン丈が異なり、又、素材や厚さの異なる個々のカーテンに、個別的に所要の屈曲形態を熱セットで付与することは、多大の手間を要して製造能率が悪く、カーテンの製造コストを大幅に上昇させる問題があった。
【先行技術文献】
【特許文献】
【０００７】
【特許文献１】特開２００３−２５９９６２号公報
【特許文献２】特開２００２−１５３３７６号公報
【発明の概要】
【発明が解決しようとする課題】
【０００８】
本発明は、前記従来の問題点に鑑みて開発されたものであり、ひだ状折り返し部の形態を整えることができてカーテン引き上げ状態の見栄えを向上させることができると共に、引き上げ式カーテンの製造能率の向上と製造コストの低減を期し得る引き上げ式カーテン用の整形アシストテープの提供を課題とするものである。又本発明は、見栄えよく引き上げられる引き上げ式カーテンの提供を課題とするものである。更に本発明は、引き上げ式カーテン用の整形アシストテープを精度良く能率的に製造可能とする引き上げ式カーテン用の整形アシストテープの製造方法の提供を課題とするものである。
【課題を解決するための手段】
【０００９】
前記課題を解決するため本発明は以下の手段を採用する。
即ち、本発明に係る引き上げ式カーテン用の整形アシストテープ（以下整形アシストテープという）は、ひだ状折り返し部が積み重なる状態で引き上げられる引き上げ式カーテンを構成するに際してカーテン基布の裏側面に上下方向に延長する如く止着されて該ひだ状折り返し部の折り返しの形態を整える引き上げ式カーテン用の整形アシストテープであって、熱可塑性樹脂製の素材を用いて形成されたテープ状物からなり、前記ひだ状折り返し部の折り返しに沿って屈曲されるバネ性屈曲テープ部が設けられており、該バネ性屈曲テープ部は、前記ひだ状折り返し部に、その表側に向けて弾性反発力を付与できるように、前記熱可塑性樹脂の融点以下の温度の熱セットで屈曲形態が保持されていることを特徴とするものである。
【００１０】
本発明に係る整形アシストテープの他の態様は、ひだ状折り返し部が積み重なる状態で引き上げられる引き上げ式カーテンを構成するに際してカーテン基布の裏側面に上下方向に延長する如く止着されて該ひだ状折り返し部の折り返しの形態を整える引き上げ式カーテン用の整形アシストテープであって、熱可塑性樹脂製の糸を用いて形成された織物又は編物としてのテープ基材の一面部に、長さ方向に所要間隔で、コード挿通部が設けられており、乃至、コード挿通部を付設可能となされており、該コード挿通部は、前記引き上げ式カーテンの上げ下げを操作する昇降コードを挿通させるために利用されるものである。そして、隣り合う前記コード挿通部間に、前記ひだ状折り返し部の折り返しに沿って屈曲されるバネ性屈曲テープ部が設けられており、該バネ性屈曲テープ部は、前記ひだ状折り返し部に、その表側に向けて弾性反発力を付与できるように、前記熱可塑性樹脂の融点以下の温度の熱セットで屈曲形態が保持されていることを特徴とするものである。
【００１１】
本発明に係る整形アシストテープのその他の態様は、ひだ状折り返し部が積み重なる状態で引き上げられる引き上げ式カーテンを構成するに際してカーテン基布の裏側面に上下方向に延長する如く止着されて該ひだ状折り返し部の折り返しの形態を整える引き上げ式カーテン用の整形アシストテープであって、熱可塑性樹脂製の糸を用いて形成された織物としてのテープ基材の一面部に、長さ方向に所要間隔でループ部を形成するに際し、経糸として、ループ部形成に関与する第１の経糸とループ部形成に関与しない第２の経糸の２種類を用い、ループ部形成部分以外の部分においては該２種類の経糸と緯糸とを交錯させるものとし、ループ部形成部分においては、第２の経糸の進行を停止させて第１の経糸のみを進行させ、緯糸と該第１の経糸のみを交錯させることによって織物組織としてのループ部が設けられており、該ループ部は、前記引き上げ式カーテンの上げ下げを操作する昇降コードを挿通させるために、或いは該昇降コードを挿通させ得るコード挿通部材を取り付けるために利用されるものである。そして、隣り合う前記ループ部間に、前記ひだ状折り返し部の折り返しに沿って屈曲されるバネ性屈曲テープ部が設けられており、該バネ性屈曲テープ部は、前記ひだ状折り返し部に、その表側に向けて弾性反発力を付与できるように、前記熱可塑性樹脂の融点以下の温度の熱セットで屈曲形態が保持されていることを特徴とするものである。
【００１２】
前記の各整形アシストテープは、前記バネ性屈曲テープ部の先端部分を円弧状に形成するのがよい。
【００１３】
本発明に係る引き上げ式カーテンは、ひだ状折り返し部が積み重なる状態で引き上げられる引き上げ式カーテンであって、カーテン基布の裏側面に、請求項１〜４の何れかに記載の整形アシストテープが上下方向に延長する如く止着されてなり、該整形アシストテープの前記バネ性屈曲テープ部が、その突の屈曲の向きを前記ひだ状折り返し部の突の折り返しの向きに合わせて止着されていることを特徴とするものである。
【００１４】
本発明に係る引き上げ式カーテン用の整形アシストテープの製造方法は、織物としてのテープ基材の一面部に長さ方向に所要間隔でループ部が形成されてなる前記引き上げ式カーテン用の整形アシストテープを製造する製造方法であって、該テープ基材の一面部に、長さ方向に所要間隔でループ部が設けられてなる原テープを、上下に平行して配設された上の圧接部材と下の圧接部材とに蛇行状態で架け渡した状態とするに際し、前記ループ部を蛇行部の上端に位置させた状態で前記原テープを前記上の圧接部材で下方から支持させると共に、各ループ部に、水平な位置規制杆を挿通させて前記原テープを固定状態とし、隣り合うループ部間をなす屈曲テープ部分によって、前記下の圧接部材を宙ぶらりん状態で下方から支持し、この状態で、該原テープに、前記熱可塑性樹脂の融点以下の温度で熱セットを施して、隣り合う前記ループ部間に前記バネ性屈曲テープ部を形成することを特徴とするものである。
【発明の効果】
【００１５】
本発明は以下の如き優れた効果を奏する。
(1) 本発明に係る整形アシストテープは、熱セットで屈曲形態が保持されてなるバネ性屈曲テープ部を具えるため、該整形アシストテープを、カーテン基布の裏側面に上下方向に延長する如く止着するに際し、該バネ性屈曲テープ部が、その突の屈曲の向きを該ひだ状折り返し部の突の折り返しの向きに合わせて止着すれば、該バネ性屈曲テープ部が、該ひだ状折り返し部の表側に向けて弾性反発力を付与できる。かかることから、引き上げ式カーテンの引き上げによって形成される各ひだ状折り返し部の折り返し形態を所要に整えることができる。これによって、引き上げ式カーテンの引き上げ状態の見栄えを向上させることができる。
【００１６】
前記したように、カーテン基布のひだ状折り返し部が形成される部分に、該カーテン基布そのものに、その折り返しの形態に合わせた熱セットを施す場合は、多くの手間を要すると共に熱セットのための装置も大掛りとなる等によって製造コストの上昇を招き、又、製造能率が悪い問題点があったのであるが、本発明に係る整形アシストテープを用いる場合は、かかる問題点を解決できることになる。
【００１７】
又、熱セットによってひだ状折り返し部の折り返し形態を整える従来手段は、カーテン基布の素材が、熱セットに適したものでなければならず、天然繊維製のカーテン基布に対しては、かかる熱セットを施すことができなかった。本発明に係る整形アシストテープは、所要に屈曲されたバネ性屈曲テープ部が設けられていることから、カーテン基布の素材を問わずに応用でき、そのひだ状折り返し部の折り返し形態を所要に整えることができる利点がある。
【００１８】
更に、整形アシストテープを作り置きできるため、カーテン基布に熱セットを施す場合に比し、引き上げ式カーテンを短納期でしかも製造コストの低減を図って提供できる利点もある。
【００１９】
(2) 特に整形アシストテープとして、引き上げ式カーテンの引き上げ操作をする昇降コードを挿通させるための、或いは該昇降コードを挿通させ得るコード挿通部材を取り付けるためのループ部を具えるものとして構成する場合は、該整形アシストテープは、引き上げ式カーテンを引き上げ操作するための昇降コードを取り付けるという従来と同様の目的で使用できるだけでなく、ひだ状折り返し部の折り返しの形態を整えるためにも活用できることとなる。更には、該整形アシストテープの製造工程で原テープにバネ性屈曲テープ部を形成する際に、該ループ部を前記位置規制杆を取り付けるためにも利用でき、該ループ部の利用によってバネ性屈曲テープ部の屈曲形態を確実に設定できることになる。このように、１本の整形アシストテープを多様に活用できる利点が大きい。
【図面の簡単な説明】
【００２０】
【図１】本発明に係る整形アシストテープを用いて構成された引き上げ式カーテン装置を示す斜視図である。
【図２】カーテンの引き上げ状態を示す斜視図である。
【図３】カーテンの引き上げ状態を示す断面図である。
【図４】引き上げ式カーテン装置の上側部分の構成を示す斜視図である。
【図５】その部分拡大図である。
【図６】引き上げ式カーテン装置の下側部分の構成を示す斜視図である。
【図７】その部分拡大図と、コード挿通部に昇降コードが挿通された状態の拡大図と、引き上げ式カーテンにおける最下端のループ部を示す斜視図である。
【図８】本発明に係る整形アシストテープを示す正面図と斜視図である。
【図９】整形アシストテープを示す斜視図とその部分拡大図である。
【図１０】テープ屈曲支持台に原テープを蛇行状態に架け渡した状態を示す斜視図である。
【図１１】原テープの架け渡し状態を示す正面図である。
【図１２】所要長さに切断された整形アシストテープをカーテン基布の裏側面に止着した状態を示す斜視図である。
【図１３】カーテン基布に対する整形アシストテープの縫製による止着状態を示す斜視図と、カーテン基布の両側に形成された収容袋部に整形アシストテープが収容された状態を示す斜視図である。
【図１４】引き上げ式カーテンを示す部分斜視図と、収容袋部における整形アシストテープの収容状態を示す断面図である。
【図１５】コード挿通部の他の態様を示す斜視図である。
【図１６】整形アシストテープのその他の実施例を、コード挿通部に昇降コードが挿通された状態で示す部分斜視図である。
【図１７】整形アシストテープを一列の縫製でカーテン基布に止着した状態を示す部分斜視図である。
【図１８】ループ部に位置規制杆を挿通させる他の態様を示す斜視図である。
【図１９】整形アシストテープを製造する他の製造方法を説明する断面図である。
【図２０】従来の引き上げ式カーテン装置を示す斜視図である。
【図２１】その上側部分を示す正面図である。
【図２２】従来の引き上げ式カーテン装置におけるカーテンの引き上げ状態を示す斜視図である。
【図２３】その引き上げ時の問題点を説明する斜視図である。
【図２４】従来の引き上げ式カーテン装置に用いる屈曲形態のカーテンを示す正面図と、その製造工程を説明する斜視図である。
【発明を実施するための形態】
【実施例１】
【００２１】
図１〜３において本発明に係る整形アシストテープ１は、ひだ状折り返し部２が積み重なる状態で引き上げ可能となされた引き上げ式カーテン装置３用の引き上げ式カーテン（以下カーテンともいう）５を構成するに際して、カーテン基布６の裏側面７に上下方向に延長する如く止着されて該ひだ状折り返し部２の形態を正しく整えることができるものである。該整形アシストテープ１は本実施例においては長尺に形成されており、カーテン基布６の上下長さに合わせて所要長さに切断されることにより、設定寸法の整形アシストテープ１ａとして使用される。なお図３においては、説明の便宜上、カーテン基布６の断面のハッチングを省略している。
【００２２】
ここで該引き上げ式カーテン装置３の全体構成を説明すれば、図１〜２に示すように、窓開口部の上縁に沿って付設された支持バー１０の室内側の面部１１に、面状ファスナ１２を介して引き上げ式カーテン５の上縁部分１５が固定され、該引き上げ式カーテン５が吊下状態とされている。そして該引き上げ式カーテン５の下部には、図１、図３、図６〜７に示すように、カーテンの下部１６にウエイトをもたせるためにウエイトバー収容筒部１７が形成され、その内部にウエイトバー１９が収容されている。又、図４〜５に示すように、前記支持バー１０の一端側にロック具２０が固定されると共に、該支持バー１０の、該ロック具２０の固定側１０ａからその反対側１０ｂに向けて所要間隔で（本実施例においては、該支持バー１０の両側部位２１，２１と中央部位２２において）コード案内部２３，２３，２３が設けられている。そして、該コード案内部２３の数に相当する本数の昇降コード２５の束２６が該ロック具２０に通され、その束２６を構成する各昇降コード２５は、前記コード案内部２３毎に垂らされる。このように垂らされた昇降コード２５は、図１、図４〜５、図６〜７に示すように、前記整形アシストテープ１ａの止着によって上下方向に所要間隔で設けられたコード挿通部２７に順次挿通せしめられ、図６〜７に示すように、該昇降コード２５の下端２８が、例えば、止着部材２９を介して、引き上げ式カーテン５の下端側４４に固定状態とされる。そして、前記ロック具２０に挿通した昇降コード２５の束２６を下方に引くことにより、前記引き上げ式カーテン５を、図２〜３に示すように、ひだ状折り返し部２が積み重なる状態で引き上げ可能となされており、所要の引き上げ状態で、昇降コード２５が前記ロック具２０の係止作用によってロックされ、これによって、カーテン５がその引き上げ状態で保持されるようになされている。
【００２３】
前記整形アシストテープ１は、図１、図５、図７に示すように、熱可塑性樹脂製の糸を用いて形成された織物としてのテープ基材（テープ幅は例えば１８ｍｍ）３３の一面部３３ａに、長さ方向に所要間隔でコード挿通部２７が設けられており、乃至、コード挿通部２７を付設可能となされており、該コード挿通部２７は、前記引き上げ式カーテン５の上げ下げを操作する昇降コード２５を挿通させるために利用されるものである。そして図３に示すように、隣り合う前記コード挿通部２７，２７間に、前記ひだ状折り返し部２の折り返しに沿って屈曲される、先端部分が円弧状に形成されたバネ性屈曲テープ部３０が設けられており、該バネ性屈曲テープ部３０は、前記ひだ状折り返し部２に、その表側３１に向けて弾性反発力を付与できるように熱セットで屈曲形態が保持されている。
【００２４】
該整形アシストテープ１をより具体的に説明すれば、例えば図８に示すように、熱可塑性樹脂製の糸を用いた織物製の透明な長尺テープとして形成されており、隣り合うループ部３２，３２間に、前記バネ性屈曲テープ部３０が形成されている。
【００２５】
より具体的には図９に示すように、例えばポリエステル製のモノフィラメント糸を用いて形成された織物製のテープ基材（テープ幅は例えば１８ｍｍ）３３の一面部３３ａの、例えば長手中央線に沿って、長さ方向に所要間隔で（例えば１５ｃｍや２０ｃｍの間隔で、本実施例においては２０ｃｍの間隔で）、該テープ基材３３を形成する経糸３４を用い、織物組織を有するループ部３２が設けられている。
【００２６】
本実施例においては、図９（Ｂ）に示すように、経糸３４として、ループ部形成に関与する第１の経糸３４ａとループ部形成に関与しない第２の経糸３４ｂの２種類を用い、ループ部形成部分３５以外の部分３６においては該２種類の経糸３４ａ，３４ｂと緯糸３７を交錯させるものとし、ループ部形成部分３５においては、第２の経糸３４ｂの進行を停止させて第１の経糸３４ａのみを進行させ、緯糸３７と該第１の経糸３４ａのみを交錯させることによって、例えば袋組織を有する丸紐状のループ部３２を形成する如くなされている。このようにしてループ部３２を形成する場合は、整形アシストテープ１の長手中央線に沿う部分３８の経糸密度が増大することになり、該整形アシストテープ１の長手中央線に沿う部分での弾性反発力を増大させ得ることとなる。本実施例においては該ループ部３２に、図７（Ｂ）に示す如く、前記コード挿通部２７と取付け孔３９を有するリング状のコード挿通部材４０が取り付けられる。
【００２７】
該バネ性屈曲テープ部３０は、前記ひだ状折り返し部２の表側３１（図３）に向けて弾性反発力を付与できるように熱セットで屈曲形態が保持されている。該バネ性屈曲テープ部３０が前記ひだ状折り返し部２に対して所要の弾性反発力を付与できるように、前記経糸３４を構成するモノフィラメント糸の太さや該経糸３４の密度が所要に設定されている。
【００２８】
図１０は、前記整形アシストテープ１に前記バネ性屈曲テープ部３０を形成するためのテープ屈曲支持台４２を例示するものである。該テープ屈曲支持台４２は、平面視で正方形の四隅位置で立設された円柱状の支柱４３，４３，４３，４３の同高さ位置に、該支柱４３の上端側部分を挿通状態として円筒状のコーナ筒体４６，４６，４６，４６が固定されている。そして、隣り合うコーナ筒体４６，４６相互は、同一高さ位置において、連結杆４７で連結されている。又、対向する連結杆４７，４７、４７，４７の内の一方４７ａ，４７ａの下面部５１，５１相互は、その両側部位と中央部位において、中間連結杆５２，５２，５２で連結されている。又、該中間連結杆５２，５２，５２で下方から支持された状態で、該中間連結杆５２の長さ方向に小間隔を置いて上の圧接部材５４が平行状態で配設され、該上の圧接部材５４の夫々は、対向する連結杆４７，４７，４７，４７の内の他方４７ｂ，４７ｂの内面部５３，５３と前記中間連結杆５２，５２，５２の上面部５６に、スポット溶接されている。本実施例において該上の圧接部材５４は、円形パイプからなる細径の案内杆５４ａとして構成されている。
【００２９】
これにより、４本の支柱４３，４３，４３，４３の上端側に、平面視で正方形状を呈する格子状ネット板５７が取り付けられた状態とされている。そして図１０〜１１に示すように、該格子状ネット板５７の隣り合う細径の案内杆５４ａ，５４ａ間５５の下方位置に、下の圧接部材５９（本実施例においては、例えば円形パイプからなる太径の案内杆５９ａ）が配置されるように構成されている。
【００３０】
該上の圧接部材５４と下の圧接部材５９は同径でもよいが、前記ひだ状折り返し部２の基端側部分２ａ（図３（Ａ））の弾性反発力を小さくして該基端側部分２ａの見栄えを向上させる上からは、前記のように、下の圧接部材５９は、前記バネ性屈曲テープ部３０の弾性反発力を増大させるために太径とするが、上の圧接部材５４は細径とするのがよい。  
【００３１】
図１０〜１１は、製織により形成された、ループ部３２が設けられた原テープ６０に、前記バネ性屈曲テープ部３０を熱セットにより形成する前工程を示すものである。この工程では該原テープ６０を、前記ループ部３２を蛇行部５８の上端に位置させた状態で前記上の圧接部材５４と前記下の圧接部材５９に蛇行状態に順次架け渡すと共に、上端に位置する各ループ部３２，３２，３２・・・に、例えば円形パイプ状の位置規制杆６１を、前記細径の案内杆５４ａと直交する方向で挿通せしめ、該位置規制杆６１を、並設状態の細径案内杆５４上に載せる。これにより該原テープ６０は、図１１に示すように、隣り合うループ部３２，３２間に存する屈曲テープ部分４８が、前記下の圧接部材５９の自重によって、Ｕ字状に屈曲して前記下の圧接部材５９を宙ぶらりん状態で下方から支持した状態となる。
【００３２】
該下の圧接部材５９の太さ及び、隣り合う上の圧接部材５４，５４間５５の幅は、図８に示すように形成されたバネ性屈曲テープ部３０（図８）が、前記ひだ状折り返し部２の裏面２４にその折り返しに沿って屈曲されて該ひだ状折り返し部２の表側３１に向けて弾性反発力を付与できるように設定される。
【００３３】
このようにして複数本の原テープ６０を蛇行状態に取り付けて後、前記テープ屈曲支持台４２を、図示しない加熱室に収容し、前記熱可塑性樹脂の融点以下の温度で熱セットを施す。本実施例においては、ポリエステル糸を用いて原テープ６０を構成しているため、例えば１２０℃〜１３０℃程度の高温で、所要時間の熱セットを施す。熱セットが完了した後、前記位置規制杆６１を取り外すと共に前記太径案内杆５９を除去することにより、図８に示すような、隣り合うループ部３２，３２間に前記バネ性屈曲テープ部３０が形成されてなる整形アシストテープ１を製造できることになる。
【００３４】
図１２は、このようにして得られた長尺の整形アシストテープ１を所要長さに切断してなる設定寸法の整形アシストテープ１ａをカーテン基布６の裏側面７に、上下方向に延長する如く例えば縫製によって止着した状態を示している。この止着状態をより具体的に説明する。該整形アシストテープ１は、前記コード案内部２３に案内されて下方に垂れた状態となされる３本の昇降コード２５，２５，２５の配置に合わせて位置決めされた、カーテン基布６の両側寄り部位６３，６３と中央部位６５において、本実施例においては更に両側部分（カーテン基布６の側縁６６，６６の稍内方に控えた部分）６７，６７においても、前記整形アシストテープ１ａを直線状に伸ばした状態で、例えば図１３（Ａ）に拡大して示すように、該整形アシストテープ１の両側部位６８，６８が、縫製６９によって止着されている。
【００３５】
カーテン基布６の裏側面７に止着される該５本の整形アシストテープ１ａ，１ａ，１ａ，１ａ，１ａは同様の構成を有しており、図１２に示すように、最下段のループ部３２ａの下方に所要長さのテープ基材延長部分７０が延長形成されるように該整形アシストテープ１ａの下端７１の位置が設定されている。該テープ基材延長部分７０の長さをどの程度に設定するかは、前記引き上げ式カーテン５の前記ウエイトバー収容筒部１７（図７（Ａ））の上下幅を考慮して設定されるものである。即ち該ウエイトバー収容筒部１７は、本実施例においては図１４（Ａ）に示すように、カーテン基布６の下側部分７２（図１２）をその後側で上方向に折り曲げると共にその上端側部分で下側に折り曲げ、該折り曲げ部７３の上縁部７５をカーテン基布６の表側部分７６に、幅方向に縫製６９することによって形成されることから、前記テープ基材延長部分７０の長さは、該ウエイトバー収容筒部１７の形成に必要な折り曲げ幅に等しく設定されるものである。
【００３６】
かかる５本の整形アシストテープ１ａ，１ａ，１ａ，１ａ，１ａを前記カーテン基布６に縫着するに際しては、図３に示すように、前記バネ性屈曲テープ部３０がカーテン基布６の表側に向けて突の屈曲形態を呈し得るように、該整形アシストテープ１ａの他面部３３ｂ（ループ部３２が設けられていない側の面部）を該カーテン基布６の前記裏側面７に当接させる。そして図１２、図１３（Ａ）に示すように、該整形アシストテープ１ａの下端７１を前記カーテン基布６の下端７７に位置合わせして該整形アシストテープ１ａをその下から上に向けて縫製６９（図１３（Ａ））する。これにより、図１２に示すように、該５本の整形アシストテープ１ａ，１ａ，１ａ，１ａ，１ａに関して、最下段のループ部３２ａが該下端７７の稍上側に位置し、各段のループ部３２の高さは同一となる。その結果、各段のバネ性屈曲テープ部３０の高さは同一となる。そして、この状態で、該バネ性屈曲テープ部３０の突の屈曲の向きが、前記ひだ状折り返し部２の突の折り返しの向きに合致することになる。なお、前記両側部分６７，６７に配置される前記整形アシストテープ１ａ，１ａは、図１４に示すように、カーテン基布６の両側で形成された収容袋部８０，８０に収容されるため、図１３（Ｂ）に示すように、前記下端部分７８のみを前記カーテン基布６に縫製６９することとしてもよい。
【００３７】
該収容袋部８０を形成するに際しては、例えば図１２、図１３（Ｂ）に示すように、前記カーテン基布６の側縁６６，６６から稍内方に位置する前記両側部分６７，６７に整形アシストテープ１ａ，１ａを上下方向に延長状態で配設する。その後、例えば図１４（Ｂ）に示すように、該両側部分６７，６７の夫々を、該整形アシストテープ１ａを包むように１回折り返し、更にもう１回折り返し、その後、図１３（Ｃ）に示すように、このように折り返した部分８３の内縁部分８５をカーテン基布６の表側部分７６に縫製６９する。これによって、図１３（Ｃ）に示すように、該整形アシストテープ１ａが該収容袋部８０内に上下方向に延長して収容されることとなる。
【００３８】
その後、図１４（Ａ）に示すように、カーテン基布６の前記下側部分７２（図１２、図１３（Ｃ））をその後側で上方向に折り曲げると共にその上端側部分で下側に折り曲げ、該折り曲げ部７３の上縁部７５をカーテン基布６の表側部分７６にその幅方向に縫製６９することによって前記ウエイトバー収容筒部１７を形成でき、該ウエイトバー収容筒部１７に前記ウエイトバー１９が収容され、カーテンの下部１６にウエイトが掛かるようになされている。又、図１４（Ａ）に示すように、カーテン基布６の上側部分７４（図１２、図１３（Ｃ））をその後側で下方向に折り曲げると共に該折り曲げ部８４の下縁部８８をカーテン基布６の表側部分７６にその幅方向に縫製６９し、且つ、該折り曲げ部８４の後面に面状ファスナ１２が縫着されている。
【００３９】
このようにして構成された引き上げ式カーテン５には、図１に示すように、前記両側寄り部位６３，６３と中央部位６５に配設された３本の整形アシストテープ１ａ，１ａ，１ａの、上下方向に並設された（本実施例においては２０ｃｍ間隔で並設された）各ループ部３２に、その最下段のもの３２ａ（図７（Ｃ））を除いて、図７（Ｂ）に拡大して示すように、コード挿通部材４０が前記ループ部３２に取り付けられている。そして前記コード案内部２３（図４、図５）に案内させて垂らした前記昇降コード２５が該コード挿通部材４０の前記コード挿通部２７（図７（Ｂ））に順次挿通せしめられ、該昇降コード２５の下端２８が、図３（Ａ）、図７（Ａ）に示すように、最下段に位置する前記ループ部３２ａ（図７（Ｃ））に取り付けられた前記止着部材２９に連結され、該昇降コード２５の下端２８が、引き上げ式カーテン５の下端側４４（図１、図６、図７（Ａ））に固定状態とされている。これによって、図１に示す引き上げ式カーテン装置３が構成されることとなる。
【００４０】
かかる構成を有する引き上げ式カーテン５は、その降ろされた状態では図１に示すように略平面状態を呈している。前記ロック具２０に挿通された昇降コード２５の束２６を下方に引くことにより、該引き上げ式カーテン５は、図２〜３に示すように、ひだ状折り返し部２が積み重なる状態で引き上げられ、所要の引き上げ状態で、該昇降コード２５，２５，２５が該ロック具２０の係止作用によってロックされ、これによって、引き上げ式カーテン５がその引き上げ状態で保持される。かかる引き上げによって形成された各ひだ状折り返し部２においては、図３（Ｂ）に示すように、その裏面２４に、その折り返しに沿って屈曲するように前記バネ性屈曲テープ部３０が配設されているため、該バネ性屈曲テープ部３０の発揮する弾性反発力によって、前記ひだ状折り返し部２は、その表側３１に向けて弾性反発力を付与される。
【００４１】
その結果、ひだ状折り返し部２は、図２に示すように、整形アシストテープ１が取り付けられている部分２ａ、及び、隣り合う整形アシストテープ１ａ，１ａ間の部分２ｂの所要の折り返し形態が、前記バネ性屈曲テープ部３０の弾性反発力によって所要に整えられることとなる（図２〜３）。特に本実施例においては、引き上げ式カーテン５の両側部分８７，８７（図１、図１４）にも整形アシストテープ１ａ，１ａが配設されているため、ひだ状折り返し部２の形態がより一層良好に整えられることとなる。従って引き上げ式カーテン５は、ひだ状折り返し部２がその形態が整えられて順次積み重なる状態で引き上げられることとなり、引き上げ式カーテン５の引き上げ状態の見栄えを向上できることとなる。
【実施例２】
【００４２】
本発明は、前記実施例で示したものに限定されるものでは決してなく、「特許請求の範囲」の記載内で種々の設計変更が可能であることはいうまでもない。その一例を挙げれば次のようである。
【００４３】
(1) 本発明に係る整形アシストテープ１は、引き上げ式カーテン５の引き上げによって形成されるひだ状折り返し部２の裏面２４にその折り返しに沿って屈曲されるバネ性屈曲テープ部３０が該ひだ状折り返し部２の表側３１に向けて弾性反発力を付与でき、これによって該ひだ状折り返し部２の形態を整える機能を有するものであって、該バネ性屈曲テープ部３０の屈曲形態が熱セットで保持されてなるものであるならば、前記した熱可塑性のポリエステル製モノフィラメント糸を用いてなる織物製として構成されることの他、その他の熱可塑性樹脂製の糸を用いてなる編物製や、熱可塑性樹脂製の樹脂テープ等として構成することもできる。熱可塑性樹脂のその他のものを例示すれば、ポリオレフィン系、ポリスチレン系、ポリアミド系の樹脂を挙げることができる。
【００４４】
(2) 該整形アシストテープ１は、長尺に形成し、これを、カーテン基布６の上下長さに合わせて所要長さに切断して設定寸法の整形アシストテープとして使用できるように構成されることの他、カーテン基布６の上下長さに合わせた所要長さのものとして製造されることもある。
【００４５】
(3) ひだ状折り返し部２の裏面２４にその折り返しに沿って屈曲されるバネ性屈曲テープ部３０の、該ひだ状折り返し部２の表側３１に向けての弾性反発力の強さは、引き上げ式カーテン５を構成するカーテン基布６の目付やカーテン基布６の厚さに応じて、前記ひだ状折り返し部２の折り返しの形態を整えることができる程度に所要に設定されるものである。該弾性反発力をより大きく設定する必要がある場合は、整形アシストテープ１を構成する糸を太くしたり、テープを構成する糸の密度を高くしたり、或いは、テープ幅を大きくする等によって所要に設定できる。
【００４６】
(4) 前記整形アシストテープ１のバネ性屈曲テープ部３０の形態は、バネ性屈曲テープ部３０の弾性反発力を増大させるために、先端部分を円弧状に形成するのが好ましいが、所要の弾性反発力を発揮できる限り、先端部が鋭角的に屈曲されたバネ性屈曲テープ部３０として構成されることもある。
【００４７】
(5) そして前記整形アシストテープ１は、前記昇降コード２５を挿通させるコード挿通部２７を形成するコード挿通部材４０を取り付けるためのループ部３２を具えるものとして構成されることの他、それ自体がコード挿通部２７となるループ部３２を具えるものとして構成することもできる。該ループ部３２は、前記のように、テープ基材３３の長手中央線に沿って設けられることの他、長手中央線から稍位置ずれして設けられることもある。  
【００４８】
(6) 図１５は、前記コード挿通部２７を形成する円形リング状のコード挿通部材４０を示すものであり、これを前記ループ部３２に取り付けた状態を示している。
【００４９】
(7) 図１６は、整形アシストテープ１の他の実施例を示すものであり、前記昇降コード２５を挿通させるためのコード挿通部２７を有するコード挿通部材４０を取り付けるための取付け孔部８９が、テープ基材３３の一面部３３ａの例えば長手中央線に沿って、上下方向に多段に並設されている。該取付け孔８９は、例えば、遊離片部９０の上下端部分９１，９２が該テープ基材３３に固定されることによって構成されている。図１６は、該取付け孔８９にコード挿通部材４０が取り付けられた状態を、そのコード挿通部２７に昇降コード２５が挿通された状態で示している。
【００５０】
(8) 前記整形アシストテープ１は、前記バネ性屈曲テープ部３０の弾性反発力を増大させるために、テープ基材３３の表面に樹脂被覆を施したり、弾力性を有する金属線材等をテープ基材３３の長さ方向に配置して構成することもできる。又、弾力性を有する金属繊維等を経糸として用いて整形アシストテープ１を構成することもできる。
【００５１】
(9) カーテン基布６の両側に設けた前記収容袋部８０，８０内に収容する整形アシストテープ１は、前記したようなループ部３２を有さない織物テープや編物テープ、樹脂テープ等の、弾性反発力を付与できるバネ性屈曲テープ部３０を具備するものとして構成することもできる。整形アシストテープ１を樹脂テープを以て構成する場合は、所要幅のものとして形成することの他、幅広の樹脂シートを細幅にカットして構成することもできる。
【００５２】
(10)前記整形アシストテープ１は、前記実施例においては透明に形成されているが、カーテン基布６のデザイン性等を考慮して着色テープとして構成されることもある。
【００５３】
(11)本発明に係る引き上げ式カーテン５を構成するに際し、整形アシストテープ１をカーテン基布６の裏側面に止着する手段は、前記のように、整形アシストテープ１の両側部位６８，６８をカーテン基布６に縫製６９して行なうことができる他、例えば図１７に示すように、整形アシストテープ１の長手中央線に沿って或いは長手中央線寄り部位を、テープ長さ方向にカーテン基布６に一列でのみ縫製６９して行うこともできる。整形アシストテープ１をカーテン基布６に縫製６９する場合は、引き上げ式カーテン５の表面に、該縫製に伴う縫い目が表れることになる。この縫い目がカーテン表面の外観を損なう恐れのある場合は、整形アシストテープ１をこのように一列でのみ縫製することとすれば、カーテン表面に表れる縫い目を目立ちにくくなし得て好ましい。
【００５４】
特に整形アシストテープ１が、前記したように、テープ基材３３の長手中央線に沿ってループ部３２が設けられてなるときは、該ループ部３２の際を縫製すればよい。前記実施例におけるように、該ループ部３２を形成するための経糸３４をテープ基材３３の長手中央線に沿う部分３８に配置し、緯糸３７を該経糸３４と交錯させてループ部３２を形成する場合は、該整形アシストテープ１の長手中央線に沿う部分の経糸密度が増大することになる。これによって、整形アシストテープ１の弾性反発力をより有効に活用できることとなる。
【００５５】
(12)  前記バネ性屈曲テープ部３０の弾性反発力をより増大させるために、織物としての前記テープ基材３３において、これを構成する前記経糸３４を前記緯糸３７よりも太く形成することがある。弾性反発力の向上に寄与するのは、緯糸ではなく主として経糸だからである。
【００５６】
(13)前記カーテン基布６が天然繊維製ではなく合成繊維製である場合は、前記整形アシストテープ１を熱融着によりカーテン基布６に止着することもできる。
【００５７】
(14)引き上げ式カーテン５の引き上げによって形成されるひだ状折り返し部９の重量が大きい場合には、該ひだ状折り返し部９の形態をより整え易くするために、前記昇降コード２５の配置に合わせて止着された整形アシストテープ１，１の間や該整形アシストテープ１の外側に位置させて、更に別途の整形アシストテープ１が配設されることもある。
【００５８】
(15)前記バネ性屈曲テープ部３０を形成する他の製造方法は、図１０に示す場合において、図１８に示すように、前記位置規制杆６１を前記細径の案内杆５４ａと平行する方向で前記各ループ部３２に挿通させることとしてもよい。
【００５９】
又、該製造方法の他の態様は、例えば図１９に示すように、下に位置する固定枠１００に対して、上に位置する可動枠１０１を上下動可能とし、両者により原テープ６０を蛇行状態に屈曲させ、これを加熱処理室に収容して所要の熱セットを施すこととしてもよい。該固定枠１００は、下基板１０２に、上の圧接部材（例えば円筒状を呈する）５４が上端に設けられてなる起立部材１０５が所要間隔で並設されてなる。又前記可動枠１０１は、隣り合う起立部材１０５，１０５間に進入できる下の圧接部材（例えば円筒状を呈する）５９が下端に設けられてなる垂下部材１０７を、上基板１０９に並設して構成されている。そして図１９（Ａ）に示すように該可動部材１０１が下降することにより、前記原テープ６０を、前記上の圧接部材５４と前記下の圧接部材５９とに交互に案内させて蛇行状態で屈曲させることができる。熱セットが完了した後に、図１９（Ｂ）に示すように可動枠１０１を上昇させると、バネ性屈曲テープ部３０が並設されてなる整形アシストテープ１が得られる。なお図１９（Ａ）（Ｂ）において符号１１０は、原テープ６０の両端部分１１１，１１１を挾持状態に保持する保持具であり、上下の挾持片１１２，１１３との間で該端部分１１１を挾持できる。図１９（Ａ）は、該端部分１１１を挾持した状態を示し、図１９（Ｂ）は挾持解除状態を示している。
【００６０】
その他、該製造方法は、屈曲した板体としての上下の圧接部材５４，５９間で前記原テープ６０を挾持することによって、蛇行状態に屈曲させることとしてもよい。その他、熱セットに先立って原テープ６０を所要の蛇行状態に屈曲させ得る各種の手段を採用できる。
【００６１】
(16)前記熱セットは、前記熱可塑性樹脂の融点以下の温度で行なうものであるが、バネ性屈曲テープ部３０の所要の屈曲形態を保持できるのであれば、比較的低い温度で熱セットを施すこともできる。
【００６２】
(17)前記熱セットは、蛇行状態に屈曲された原テープ６０を加熱室に収容して行なうことの他、前記上下の圧接部材５４，５９を加熱することによって熱セットする手段であってもよい。
【００６３】
(18)引き上げ式カーテン５の前記両側部分８７，８７に取着される整形アシストテープ１は、前記のように収容袋部８０に収容されることの他、該両側部分８７，８７の裏面側に縫着されることもある。
【符号の説明】
【００６４】
１  整形アシストテープ
２  ひだ状折り返し部
３  引き上げ式カーテン装置
５  引き上げ式カーテン
６  カーテン基布
７  裏側面
２５  昇降コード
２７  コード挿通部
２９  止着部材
３０  バネ性屈曲テープ部
３２  ループ部
３３  テープ基材
３４  経糸
３４ａ  第１の経糸
３４ｂ  第２の経糸
３７  緯糸
５４  上の圧接部材
５９  下の圧接部材
６０  原テープ
６１  位置規制杆
８０  収容袋部
【図１】
2012120744.tif 000003
【図２】
2012120744.tif 000004
【図３】
2012120744.tif 000005
【図４】
2012120744.tif 000006
【図５】
2012120744.tif 000007
【図６】
2012120744.tif 000008
【図７】
2012120744.tif 000009
【図８】
2012120744.tif 000010
【図９】
2012120744.tif 000011
【図１０】
2012120744.tif 000012
【図１１】
2012120744.tif 000013
【図１２】
2012120744.tif 000014
【図１３】
2012120744.tif 000015
【図１４】
2012120744.tif 000016
【図１５】
2012120744.tif 000017
【図１６】
2012120744.tif 000018
【図１７】
2012120744.tif 000019
【図１８】
2012120744.tif 000020
【図１９】
2012120744.tif 000021
【図２０】
2012120744.tif 000022
【図２１】
2012120744.tif 000023
【図２２】
2012120744.tif 000024
【図２３】
2012120744.tif 000025
【図２４】
2012120744.tif 000026